(57)【要約】【課題】特定対象側が承認した特定テーマサイトにのみ承認バナーを表示させ、優良サイトの識別を容易にする。【解決手段】特定対象を応援又は愛好するファンにより運営されるファンサイト２と、特定対象側が承認したサイトであることを示す承認バナー９とを含み、承認バナー９のバナーデータは、閲覧者端末６のウェブブラウザに読み込まれたとき、当該承認バナー９が貼り付けられたファンサイト２の認証ステータスをバナー管理サーバ１０に要求すると共に、バナー管理サーバ１０から受信した認証ステータスが承認済みである場合に、承認バナー９を表示状態とする一方、認証ステータスが未承認である場合に、承認バナー９を非表示状態とするように、閲覧者端末６のウェブブラウザを動作させ、バナー管理サーバ１０は、ファンサイト２の認証ステータスをその固有ＩＤに関連付けて蓄積するデータベースＤＢを備える。【選択図】図１
2010277297.tif 000002
【特許請求の範囲】
【請求項１】
ウェブページを公開する複数のウェブサーバと、
ウェブブラウザを用いてウェブページを閲覧する複数の閲覧者端末と、
ウェブページに貼り付けられたバナーの表示を管理するバナー管理サーバと、
これらを通信可能に接続するネットワークと、を備えるバナー管理システムであって、
前記ウェブページは、
特定対象をテーマとして運営される特定テーマサイトであり、
前記バナーは、
前記特定対象側が承認したサイトであることを証明する承認バナーであり、
当該承認バナーのバナーデータは、
閲覧者端末のウェブブラウザに読み込まれたとき、当該承認バナーが貼り付けられた特定テーマサイトの認証ステータスをバナー管理サーバに要求する認証ステータス要求手段と、
バナー管理サーバから受信した認証ステータスが承認済みである場合に、承認バナーを表示状態とする一方、認証ステータスが未承認である場合に、承認バナーを非表示状態とする承認バナー表示切換手段として閲覧者端末のウェブブラウザを動作させ、
前記バナー管理サーバは、
前記特定対象側が承認したサイトであるか否かという認証ステータスを、特定テーマサイトの固有識別情報に関連付けて蓄積するデータベースと、
特定テーマサイトを閲覧した閲覧者端末からの認証ステータス要求に応じて、当該特定テーマサイトの認証ステータスをデータベースから取得し、取得した認証ステータスを閲覧者端末に送信する認証ステータス応答手段とを備えることを特徴とするバナー管理システム。
【請求項２】
前記バナー管理サーバは、
閲覧者端末からの認証ステータス要求に含まれる固有識別情報がデータベースに蓄積されていない場合に、当該固有識別情報を承認申請情報としてデータベースに蓄積する承認申請情報蓄積手段を備えることを特徴とする請求項１記載のバナー管理システム。
【請求項３】
前記特定対象側の管理者が使用する管理者端末と、
前記バナー管理サーバから管理者端末に提供される特定テーマサイト管理ページとを備え、
前記特定テーマサイト管理ページのページデータは、
新たな承認申請情報をバナー管理サーバに要求する承認申請情報要求手段と、
バナー管理サーバから受信した承認申請情報を表示する承認申請情報表示手段と、
承認申請された特定テーマサイトを承認するか否かという認証ステータスの設定操作を求める認証ステータス設定要求手段と、
設定された認証ステータスをバナー管理サーバに送信する認証ステータス送信手段として管理者端末のウェブブラウザを動作させ、
前記バナー管理サーバは、
管理者端末からの承認申請情報要求に応じて、新たな承認申請情報をデータベースから取得し、取得した承認申請情報を管理者端末に送信する承認申請情報応答手段と、
管理者端末から受信した認証ステータスをデータベースに反映させる認証ステータス反映手段とを備えることを特徴とする請求項２記載のバナー管理システム。
【請求項４】
前記特定対象側の管理者が使用する管理者端末と、
前記バナー管理サーバから管理者端末に提供される特定テーマサイト管理ページとを備え、
前記特定テーマサイト管理ページのページデータは、
承認されている特定テーマサイトの情報をバナー管理サーバに要求する承認サイト情報要求手段と、
バナー管理サーバから受信した承認サイト情報を表示する承認サイト情報表示手段と、
承認サイトの承認を取り消すか否かという認証ステータスの変更操作を求める認証ステータス変更要求手段と、
変更された認証ステータスをバナー管理サーバに送信する認証ステータス送信手段として管理者端末のウェブブラウザを動作させ、
前記バナー管理サーバは、
管理者端末からの承認サイト情報要求に応じて、承認サイト情報をデータベースから取得し、取得した承認サイト情報を管理者端末に送信する承認サイト情報応答手段と、
管理者端末から受信した認証ステータスを前記データベースに反映させる認証ステータス反映手段とを備えることを特徴とする請求項１〜３のいずれかに記載のバナー管理システム。
【請求項５】
特定対象側が運営する公式サイト又はその他のサイトから閲覧者端末に提供される認証コード検証ページを備え、
前記承認バナーのバナーデータは、
承認バナー内の所定領域がクリックされたとき、承認バナーの信頼性を示す認証コードをバナー管理サーバに要求する認証コード要求手段と、
バナー管理サーバから受信した認証コードを表示する認証コード表示手段として閲覧者端末のウェブブラウザを動作させ、
前記認証コード検証ページのページデータは、
当該ページ内の所定領域に入力された認証コードの検証をバナー管理サーバに要求する認証コード検証要求手段と、
バナー管理サーバから受信した検証結果を表示する検証結果表示手段として閲覧者端末のウェブブラウザを動作させ、
前記バナー管理サーバは、
特定テーマサイトを閲覧した閲覧者端末からの認証コード要求に応じて、当該特定テーマサイトの認証ステータスをデータベースから取得し、当該特定テーマサイトが承認済みである場合に、一意の認証コードを生成して閲覧者端末に送信する認証コード応答手段と、
閲覧者端末からの認証コード検証要求に応じて、当該認証コード検証要求に含まれる認証コードの信頼性を検証し、その検証結果を閲覧者端末に送信する検証結果応答手段とを備えることを特徴とする請求項１〜４のいずれかに記載のバナー管理システム。
【請求項６】
前記承認バナーのバナーデータは、
閲覧者端末のウェブブラウザに読み込まれたとき、又は、承認バナー内の所定領域がクリックされたとき、同じ承認バナーが貼り付けられた特定テーマサイトの一覧データをバナー管理サーバに要求するサイト一覧要求手段と、
バナー管理サーバから受信したサイト一覧データを承認バナー表示領域内に表示するサイト一覧表示手段として閲覧者端末のウェブブラウザを動作させ、
前記バナー管理サーバは、
閲覧者端末からのサイト一覧要求に応じて、同じ承認バナーが貼り付けられた特定テーマサイトの一覧データをデータベースから取得し、取得したサイト一覧データを閲覧者端末に送信するサイト一覧応答手段を備えることを特徴とする請求項１〜５のいずれかに記載のバナー管理システム。
【請求項７】
ウェブページを公開する複数のウェブサーバや、ウェブブラウザを用いてウェブページを閲覧する複数の閲覧者端末に、ネットワークを介して通信可能に接続され、ウェブページに貼り付けられたバナーの表示を管理するバナー管理サーバであって、
請求項１〜６のいずれかに記載のバナー管理サーバとして動作することを特徴とするバナー管理サーバ。
【発明の詳細な説明】
【技術分野】
【０００１】
本発明は、ウェブページに貼り付けられたバナーの表示を管理するバナー管理システム及びバナー管理サーバに関する。
【背景技術】
【０００２】
ウェブページを構成するアイテムの一つとして、バナーが知られている。この種のバナーは、端末のウェブブラウザが、ウェブページデータに含まれるバナーデータを読み込むことにより、ウェブページに貼り付けられた状態で表示される。バナーデータには、バナー画像や、バナーをクリックした際にジャンプするリンク先が設定されており、単に他のウェブサイトとのリンクを目的とするリンクバナーや、広告を目的とする広告バナーがある。広告バナーのバナー画像は、通常、バナー管理サーバから配信されており、閲覧日時や閲覧者の特性などにもとづいて選択されたバナー画像の配信が可能となっている。
【０００３】
ところで、インターネット上には、特定対象をテーマとして運営される特定テーマサイトが存在する。例えば、特定の人、チーム、店、メーカ、製品、サービスなどを応援又は愛好するファンにより運営されるファンサイト、特定の人、チーム、店、メーカ、製品、サービスなどをテーマとして意見交換を行うコミュニティサイト、特定の人、チーム、店、メーカ、製品、サービスなどをテーマとして情報発信を行うブログなどがこれに相当する。
【０００４】
このような特定テーマサイトでは、特定対象側が提供するリンクバナーをウェブページに貼り付け、特定対象側が運営する公式サイトとリンクさせるケースが多く見受けられる。その理由は、特定テーマサイト側としては公式サイトとリンクすること自体に喜びを感じる一方、公式サイト側としては特定テーマサイトとの繋がりを強化できるだけでなく、アクセス数の増加が期待できるからであると考えられる。
【先行技術文献】
【特許文献】
【０００５】
【特許文献１】特開２００２−１５７４９８号公報
【発明の概要】
【発明が解決しようとする課題】
【０００６】
しかしながら、特定テーマサイトのなかには、特定対象に対して好意的な書き込みが行われる優良サイトだけでなく、特定対象に対して悪意のある書き込みが行われる不良サイトも存在しており、このような不良サイトが公式サイトのリンクバナーを貼り付けていると、不良サイトの書き込みを公式サイト側が認めているような誤解を招く惧れがあった。
また、公式サイト側が提供するリンクバナーは、サイズやデザインにおいてバリエーションがあったとしても、特定テーマサイト側から見たとき、その価値は一様であるため、優良サイトの運営者にとっては、不満に感じられる場合があった。
【課題を解決するための手段】
【０００７】
本発明は、上記の如き実情に鑑みこれらの課題を解決することを目的として創作されたものであって、本発明のバナー管理システムは、ウェブページを公開する複数のウェブサーバと、ウェブブラウザを用いてウェブページを閲覧する複数の閲覧者端末と、ウェブページに貼り付けられたバナーの表示を管理するバナー管理サーバと、これらを通信可能に接続するネットワークと、を備えるバナー管理システムであって、前記ウェブページは、特定対象をテーマとして運営される特定テーマサイトであり、前記バナーは、前記特定対象側が承認したサイトであることを証明する承認バナーであり、当該承認バナーのバナーデータは、閲覧者端末のウェブブラウザに読み込まれたとき、当該承認バナーが貼り付けられた特定テーマサイトの認証ステータスをバナー管理サーバに要求する認証ステータス要求手段と、バナー管理サーバから受信した認証ステータスが承認済みである場合に、承認バナーを表示状態とする一方、認証ステータスが未承認である場合に、承認バナーを非表示状態とする承認バナー表示切換手段として閲覧者端末のウェブブラウザを動作させ、前記バナー管理サーバは、前記特定対象側が承認したサイトであるか否かという認証ステータスを、特定テーマサイトの固有識別情報に関連付けて蓄積するデータベースと、特定テーマサイトを閲覧した閲覧者端末からの認証ステータス要求に応じて、当該特定テーマサイトの認証ステータスをデータベースから取得し、取得した認証ステータスを閲覧者端末に送信する認証ステータス応答手段とを備えることを特徴とする。
また、前記バナー管理サーバは、閲覧者端末からの認証ステータス要求に含まれる固有識別情報がデータベースに蓄積されていない場合に、当該固有識別情報を承認申請情報としてデータベースに蓄積する承認申請情報蓄積手段を備えることを特徴とする。
また、前記特定対象側の管理者が使用する管理者端末と、前記バナー管理サーバから管理者端末に提供される特定テーマサイト管理ページとを備え、前記特定テーマサイト管理ページのページデータは、新たな承認申請情報をバナー管理サーバに要求する承認申請情報要求手段と、バナー管理サーバから受信した承認申請情報を表示する承認申請情報表示手段と、承認申請された特定テーマサイトを承認するか否かという認証ステータスの設定操作を求める認証ステータス設定要求手段と、設定された認証ステータスをバナー管理サーバに送信する認証ステータス送信手段として管理者端末のウェブブラウザを動作させ、前記バナー管理サーバは、管理者端末からの承認申請情報要求に応じて、新たな承認申請情報をデータベースから取得し、取得した承認申請情報を管理者端末に送信する承認申請情報応答手段と、管理者端末から受信した認証ステータスをデータベースに反映させる認証ステータス反映手段とを備えることを特徴とする。
また、前記特定対象側の管理者が使用する管理者端末と、前記バナー管理サーバから管理者端末に提供される特定テーマサイト管理ページとを備え、前記特定テーマサイト管理ページのページデータは、承認されている特定テーマサイトの情報をバナー管理サーバに要求する承認サイト情報要求手段と、バナー管理サーバから受信した承認サイト情報を表示する承認サイト情報表示手段と、承認サイトの承認を取り消すか否かという認証ステータスの変更操作を求める認証ステータス変更要求手段と、変更された認証ステータスをバナー管理サーバに送信する認証ステータス送信手段として管理者端末のウェブブラウザを動作させ、前記バナー管理サーバは、管理者端末からの承認サイト情報要求に応じて、承認サイト情報をデータベースから取得し、取得した承認サイト情報を管理者端末に送信する承認サイト情報応答手段と、管理者端末から受信した認証ステータスを前記データベースに反映させる認証ステータス反映手段とを備えることを特徴とする。
また、特定対象側が運営する公式サイト又はその他のサイトから閲覧者端末に提供される認証コード検証ページを備え、前記承認バナーのバナーデータは、承認バナー内の所定領域がクリックされたとき、承認バナーの信頼性を示す認証コードをバナー管理サーバに要求する認証コード要求手段と、バナー管理サーバから受信した認証コードを表示する認証コード表示手段として閲覧者端末のウェブブラウザを動作させ、前記認証コード検証ページのページデータは、当該ページ内の所定領域に入力された認証コードの検証をバナー管理サーバに要求する認証コード検証要求手段と、バナー管理サーバから受信した検証結果を表示する検証結果表示手段として閲覧者端末のウェブブラウザを動作させ、前記バナー管理サーバは、特定テーマサイトを閲覧した閲覧者端末からの認証コード要求に応じて、当該特定テーマサイトの認証ステータスをデータベースから取得し、当該特定テーマサイトが承認済みである場合に、一意の認証コードを生成して閲覧者端末に送信する認証コード応答手段と、閲覧者端末からの認証コード検証要求に応じて、当該認証コード検証要求に含まれる認証コードの信頼性を検証し、その検証結果を閲覧者端末に送信する検証結果応答手段とを備えることを特徴とする。
また、前記承認バナーのバナーデータは、閲覧者端末のウェブブラウザに読み込まれたとき、又は、承認バナー内の所定領域がクリックされたとき、同じ承認バナーが貼り付けられた特定テーマサイトの一覧データをバナー管理サーバに要求するサイト一覧要求手段と、バナー管理サーバから受信したサイト一覧データを承認バナー表示領域内に表示するサイト一覧表示手段として閲覧者端末のウェブブラウザを動作させ、前記バナー管理サーバは、閲覧者端末からのサイト一覧要求に応じて、同じ承認バナーが貼り付けられた特定テーマサイトの一覧データをデータベースから取得し、取得したサイト一覧データを閲覧者端末に送信するサイト一覧応答手段を備えることを特徴とする。
また、本発明のバナー管理サーバは、ウェブページを公開する複数のウェブサーバや、ウェブブラウザを用いてウェブページを閲覧する複数の閲覧者端末に、ネットワークを介して通信可能に接続され、ウェブページに貼り付けられたバナーの表示を管理するバナー管理サーバであって、請求項１〜６のいずれかに記載のバナー管理サーバとして動作することを特徴とする。
【発明の効果】
【０００８】
請求項１の発明によれば、特定対象側が承認した特定テーマサイトにのみ承認バナーを表示させることができるので、承認バナーの存在によって優良サイトを容易に識別できるだけでなく、優良サイトの運営者に特別感を与えることができる。しかも、特定テーマサイトにおける承認バナーの表示／非表示は、バナー管理サーバのデータベースで管理される認証ステータスの変更に基づいて切換えることができるので、特定テーマサイトの認証ステータスを適正に管理することにより、承認サイトのクオリティを保つことができる。
また、請求項２に発明によれば、特定対象側に承認申請をしたい特定テーマサイトの運営者は、バナー管理サーバなどから承認バナーのバナーデータ（タグ）を取得し、自ら運営している特定テーマサイトに貼り付けることにより、自動的に承認申請を行うことが可能になる。
また、請求項３の発明によれば、特定対象側の管理者は、バナー管理サーバが提供する特定テーマサイト管理ページにおいて、新たに申請された特定テーマサイトの承認申請情報を閲覧できるだけでなく、承認申請された特定テーマサイトを承認するか否かという認証ステータスの設定を行うことができる。
また、請求項４の発明によれば、特定対象側の管理者は、バナー管理サーバが提供する特定テーマサイト管理ページにおいて、承認されている特定テーマサイトの情報を閲覧できるだけでなく、承認サイトの承認を取り消すか否かという認証ステータスの変更を行うことができる。
また、請求項５の発明によれば、認証コードの取得ステップと、取得した認証コードの検証ステップとからなる２段階のステップにより、承認バナーの信頼性を高精度にチェックすることができる。
また、請求項６に発明によれば、同じ承認バナーが貼り付けられた特定テーマサイトの一覧データを表示することにより、優良な特定テーマサイト同士を相互にリンクさせ、優良な特定テーマサイトへのアクセス数を向上させることができる。しかも、一覧データは、承認バナー表示領域内に表示されるので、他のサイトにジャンプして表示する場合に比べ、特定テーマサイトの滞在時間を伸ばすことができる。
また、請求項７の発明によれば、本発明をバナー管理サーバとして実施することができる。
【図面の簡単な説明】
【０００９】
【図１】バナー管理システムの概略構成を示すブロック図である。
【図２】初期表示状態における承認バナーの機能を示す説明図である。
【図３】承認サイト一覧表示状態における承認バナーの機能を示す説明図である。
【図４】承認バナーの表示に必要な構成を示すブロック図である。
【図５】承認バナーの表示に係る信号のやり取りを示す梯子図である。
【図６】承認申請に必要な構成を示すブロック図である。
【図７】承認申請に係る信号のやり取りを示す梯子図である。
【図８】認証ステータスの設定に必要な構成を示すブロック図である。
【図９】認証ステータスの設定に係る信号のやり取りを示す梯子図である。
【図１０】認証ステータスの変更に必要な構成を示すブロック図である。
【図１１】認証ステータスの変更に係る信号のやり取りを示す梯子図である。
【図１２】サイト一覧の表示に必要な構成を示すブロック図である。
【図１３】サイト一覧の表示に係る信号のやり取りを示す梯子図である。
【図１４】ニュースの表示に必要な構成を示すブロック図である。
【図１５】ニュースの表示に係る信号のやり取りを示す梯子図である。
【図１６】承認バナーの信頼性チェックに必要な構成を示すブロック図である。
【図１７】承認バナーの信頼性チェックに係る信号のやり取りを示す梯子図である。
【図１８】第二実施形態の自動承認申請に必要な構成を示すブロック図である。
【図１９】第二実施形態の自動承認申請に係る信号のやり取りを示す梯子図である。
【図２０】第三実施形態の自動承認申請に必要な構成を示すブロック図である。
【図２１】第三実施形態の自動承認申請に係る信号のやり取りを示す梯子図である。
【発明を実施するための形態】
【００１０】
［第一実施形態］
以下、本発明の第一実施形態について、図面に基づいて説明する。ただし、実施形態では、特定テーマサイトとしてファンサイトを例示する。
【００１１】
図１において、１はバナー管理システムであって、該バナー管理システム１は、特定対象を応援又は愛好するファンにより運営されるファンサイト（特定テーマサイト）２のウェブページを公開する複数のウェブサーバ３と、特定対象側により運営される公式サイト４のウェブページを公開するウェブサーバ５と、特定対象のファンなどがウェブブラウザを用いてファンサイト２を閲覧する複数の閲覧者端末６と、ファンサイト２の運営者が使用する運営者端末７と、特定対象側の管理者が使用する管理者端末８と、ファンサイト２に貼り付けられた承認バナー９の表示を管理するバナー管理サーバ１０と、これらを通信可能に接続するインターネットなどのネットワーク１１とを備えて構成されている。
【００１２】
図２に示すように、承認バナー９は、特定対象側が承認したファンサイト２であることを示すものであり、例えば、特定対象を示すロゴと、承認サイトであることを示すロゴ（例えば、「Ｏｆｆｉｃｉａｌ  Ｓｉｔｅ」）とを含む承認シール１２により承認サイトであること明示する。この承認シール１２は、特定対象側により運営される公式サイト４にリンクし、承認シール１２のクリックにより公式サイト４へジャンプできるようにすることが好ましい。
【００１３】
また、承認バナー９には、様々な機能が付加されている。例えば、図２に示す初期表示状態においては、信頼性チェック機能及び承認サイト一覧機能を選択することができ、信頼性チェック機能を選択すると、バナー管理サーバ１０にアクセスし、この承認バナー９が偽造されたものでないかをチェックすることができる。
【００１４】
また、承認サイト一覧機能を選択すると、同じ承認バナー９が貼り付けられたファンサイト２の一覧データをバナー管理サーバ１０に要求し、バナー管理サーバ１０から受信したサイト一覧データを、図３に示すように、承認バナー表示領域内に表示することができる。一覧表示される各承認サイトの欄は、ファンサイト２の名称や紹介文を示すと共に、各ファンサイト２にリンクされる。
【００１５】
また、図３に示すように、承認サイト一覧表示状態においては、ニュース表示機能、承認申請機能及び承認サイトガイドライン機能が提供される。ニュース表示機能は、特定対象に関連するニュースデータをバナー管理サーバ１０に要求し、バナー管理サーバ１０から受信したニュースデータを承認バナー表示領域内に表示する機能である。
【００１６】
また、承認申請機能を選択すると、リンクされたバナー管理サーバ１０の承認申請ページ１３にジャンプする。そして、承認申請ページに、ファンサイト２のＵＲＬ（Ｕｎｉｆｏｒｍ  Ｒｅｓｏｕｒｃｅ  Ｌｏｃａｔｏｒ）が含まれる承認申請情報を入力すると、入力された承認申請情報がバナー管理サーバ１０に蓄積され、承認申請が完了する。
【００１７】
また、承認サイトガイドライン機能を選択すると、リンクされたバナー管理サーバ１０の承認サイトガイドラインページにジャンプし、ここで承認サイトのガイドラインを確認することができる。また、このページにおいては、ガイドラインに沿っていない承認サイトを通報することもできるようになっている。
【００１８】
次に、上記の各種機能を実現するための具体的な構成について、図４〜図１５を参照して説明する。
尚、バナーデータやページデータは、例えば、ＦｌａｓｈやＨＴＭＬを用いて記述され、サーバへの要求は、ＨＴＴＰ  ＧＥＴ  リクエストを用い、サーバからの応答は、ＸＭＬ形式を用いることができる。また、リクエストには、ファンサイトを一意に識別する固有識別情報が含まれる。固有識別情報としては、ＵＲＬ又はＵＲＬを特定可能な情報が不可欠であるが、さらに、特定対象毎（承認バナー９の種別毎）に付与されるテーマＩＤを含むことが好ましい。
【００１９】
図４及び図５に示すように、承認バナー９のバナーデータは、閲覧者端末６のウェブブラウザに読み込まれたとき、当該承認バナー９が貼り付けられたファンサイト２の認証ステータスをバナー管理サーバ１０に要求する認証ステータス要求手段１４と、バナー管理サーバ１０から受信した認証ステータスが承認済みである場合に、承認バナー９を表示状態とする一方、認証ステータスが未承認である場合に、承認バナー９を非表示状態とする承認バナー表示切換手段１５として、閲覧者端末６のウェブブラウザを動作させるように構成されている。
【００２０】
一方、バナー管理サーバ１０は、特定対象側が承認サイトとして承認しているか否かという認証ステータスを、ファンサイト２の固有識別情報に関連付けて蓄積するデータベースＤＢと、ファンサイト２を閲覧した閲覧者端末６からの認証ステータス要求に応じて、当該ファンサイト２の認証ステータスをデータベースＤＢから取得し、取得した認証ステータスを閲覧者端末６に送信する認証ステータス応答手段１６とを備えている。
【００２１】
このようにすると、特定対象側が承認したファンサイト２にのみ承認バナー９を表示させることができるので、承認バナー９の存在によって優良ファンサイト２を容易に識別できるだけでなく、優良ファンサイト２の運営者に特別感を与えることができる。しかも、ファンサイト２における承認バナー９の表示／非表示は、バナー管理サーバ１０のデータベースＤＢで管理される認証ステータスの変更に基づいて切換えることができるので、ファンサイト２の認証ステータスを適正に管理することにより、承認サイトのクオリティを保つことができる。
【００２２】
承認申請ページ１３は、承認バナー９や公式サイト４とリンクされ、バナー管理サーバ１０から運営者端末７に提供される。図６及び図７に示すように、承認申請ページ１３のページデータは、ファンサイト２のＵＲＬを含む承認申請情報の入力を求める承認申請情報入力要求手段１７と、入力された承認申請情報をバナー管理サーバ１０に送信する承認申請情報送信手段１８として、運営者端末７のウェブブラウザを動作させように構成される一方、バナー管理サーバ１０は、運営者端末７から受信した承認申請情報をデータベースＤＢに蓄積する承認申請情報蓄積手段１９を備えている。このようにすると、承認申請ページ１３を承認バナー９や公式サイト４にリンクするだけで、承認バナー９や公式サイト４を通じて承認申請を広く受け付け、バナー管理サーバ１０のデータベースＤＢに蓄積することができる。
【００２３】
また、バナー管理サーバ１０は、管理者端末８に対してファンサイト管理ページ（特定テーマサイト管理ページ）２０を提供する。図８及び図９に示すように、ファンサイト管理ページ２０のページデータは、新たに申請されたファンサイト２の承認申請情報をバナー管理サーバ１０に要求する承認申請情報要求手段２１と、バナー管理サーバ１０から受信した承認申請情報を表示する承認申請情報表示手段２２と、承認申請されたファンサイト２を承認サイトとして承認するか否かという認証ステータスの設定操作を求める認証ステータス設定要求手段２３と、設定された認証ステータスをバナー管理サーバ１０に送信する認証ステータス送信手段２４として管理者端末８のウェブブラウザを動作させように構成されている。
【００２４】
一方、バナー管理サーバ１０は、管理者端末８からの承認申請情報要求に応じて、新たな承認申請情報をデータベースＤＢから取得し、取得した承認申請情報を管理者端末８に送信する承認申請情報応答手段２５と、管理者端末８から受信した認証ステータスをデータベースＤＢに反映させる認証ステータス反映手段２６を備えている。
【００２５】
このようにすると、特定対象側の管理者は、バナー管理サーバ１０が提供するファンサイト管理ページ２０において、新たに申請されたファンサイト２の承認申請情報を閲覧できるだけでなく、承認申請されたファンサイト２を承認サイトとして承認するか否かという認証ステータスの設定を行うことができる。
【００２６】
また、図１０及び図１１に示すように、ファンサイト管理ページ２０のページデータは、承認されているファンサイト２の情報をバナー管理サーバ１０に要求する承認サイト情報要求手段２７と、バナー管理サーバ１０から受信した承認サイト情報を表示する承認サイト情報表示手段２８と、承認サイトの承認を取り消すか否かという認証ステータスの変更操作を求める認証ステータス変更要求手段２９と、変更された認証ステータスをバナー管理サーバ１０に送信する認証ステータス送信手段２４として管理者端末８のウェブブラウザを動作させるように構成されている。
【００２７】
一方、バナー管理サーバ１０は、管理者端末８からの承認サイト情報要求に応じて、承認サイト情報をデータベースＤＢから取得し、取得した承認サイト情報を管理者端末８に送信する承認サイト情報応答手段３０と、管理者端末８から受信した認証ステータスをデータベースＤＢに反映させる認証ステータス反映手段２６を備えている。
【００２８】
このようにすると、特定対象側の管理者は、バナー管理サーバ１０が提供するファンサイト管理ページ２０において、承認されているファンサイト２の情報を閲覧できるだけでなく、承認サイトの承認を取り消すか否かという認証ステータスの変更を行うことができる。
【００２９】
また、図１２及び図１３に示すように、承認バナー９のバナーデータは、承認バナー９内の所定領域がクリックされたとき、同じ承認バナー９が貼り付けられたファンサイト２の一覧データをバナー管理サーバ１０に要求するサイト一覧要求手段３１と、バナー管理サーバ１０から受信したサイト一覧データを承認バナー表示領域内に表示するサイト一覧表示手段３２として閲覧者端末６のウェブブラウザを動作させように構成されている。
【００３０】
一方、バナー管理サーバ１０は、ファンサイト２を閲覧した閲覧者端末６からのサイト一覧要求に応じて、同じ承認バナー９が貼り付けられたファンサイト２の一覧データをデータベースＤＢから取得し、取得したサイト一覧データを閲覧者端末６に送信するサイト一覧応答手段３３を備えている。
【００３１】
このようにすると、同じ承認バナー９が貼り付けられたファンサイト２の一覧データを表示することにより、優良ファンサイト同士を相互にリンクさせ、優良ファンサイトへのアクセス数を向上させることができる。しかも、一覧データは、承認バナー表示領域内に表示されるので、他のサイトにジャンプして表示する場合に比べ、ファンサイト２の滞在時間を伸ばすことができる。
【００３２】
また、図１４及び図１５に示すように、承認バナー９のバナーデータは、承認バナー９内の所定領域がクリックされたとき、特定対象に関連するニュースデータをバナー管理サーバ１０に要求するニュースデータ要求手段３４と、バナー管理サーバ１０から受信したニュースデータを承認バナー表示領域内に表示する関連ニュース表示手段３５としてウェブブラウザを動作させるように構成されている。
【００３３】
一方、バナー管理サーバ１０は、特定対象側から提供される特定対象に関連するニュースデータをデータベースＤＢに蓄積すると共に、ファンサイト２を閲覧した閲覧者端末６からのニュースデータ要求に応じて、特定対象に関連するニュースデータをデータベースＤＢから取得し、取得したニュースデータを閲覧者端末６に送信するニュースデータ応答手段３６を備えている。
【００３４】
このようにすると、特定対象側から提供される特定対象に関連するニュースデータを表示することにより、ファンサイト２の運営者や閲覧者に対して効果的な告知を行うことができる。しかも、ニュースデータは、承認バナー表示領域内に表示されるので、他のサイトにジャンプして表示する場合に比べ、ファンサイト２の滞在時間を伸ばすことができる。
【００３５】
また、図１６及び図１７に示すように、承認バナー９のバナーデータは、承認バナー９内の所定領域がクリックされたとき、承認バナー９の信頼性を示す認証コードをバナー管理サーバ１０に要求する認証コード要求手段３７と、バナー管理サーバ１０から受信した認証コードを表示する認証コード表示手段３８として閲覧者端末６のウェブブラウザを動作させるように構成されている。
【００３６】
また、特定対象側が運営する公式サイト４（又はその他のサイト）には、閲覧者端末６に提供される認証コード検証ページ（認証コード検証コンポーネント）４９が備えられている。この認証コード検証ページ４９のページデータは、当該ページ内の所定領域に入力された認証コードの検証をバナー管理サーバ１０に要求する認証コード検証要求手段３９と、バナー管理サーバ１０から受信した検証結果を表示する検証結果表示手段４０として閲覧者端末６のウェブブラウザを動作させるように構成されている。
【００３７】
一方、バナー管理サーバ１０は、ファンサイト２を閲覧した閲覧者端末６からの認証コード要求に応じて、当該ファンサイト２の認証ステータスをデータベースＤＢから取得し、当該ファンサイト２が承認済みである場合に、一意で、かつ、短時間記憶保持される認証コードを生成して閲覧者端末６に送信する認証コード応答手段４１と、閲覧者端末６からの認証コード検証要求に応じて、当該認証コード検証要求に含まれる認証コードの信頼性を検証し、その検証結果を閲覧者端末６に送信する検証結果応答手段４２とを備えている。
【００３８】
このようにすると、認証コードの取得ステップと、取得した認証コードの検証ステップとからなる２段階のステップにより、承認バナー９の信頼性を高精度にチェックすることができる。つまり、認証コードの取得ステップだけでは、挙動を模倣したスクリプトによって認証コードが偽造される惧れがあるが、認証コードの検証ステップを別途設けることにより、認証コードの偽造を見破ることができる。しかも、認証コードの検証ステップは、認証コードを取得したファンサイト２で行うのではなく、特定対象側が運営する公式サイト４で行うことにより、挙動を模倣したスクリプトによる検証結果応答の偽造も防止することができる。
【００３９】
叙述の如く構成された本実施形態によれば、ウェブページを公開する複数のウェブサーバ３と、ウェブブラウザを用いてウェブページを閲覧する複数の閲覧者端末６と、ウェブページに貼り付けられたバナーの表示を管理するバナー管理サーバ１０と、これらを通信可能に接続するネットワーク１１とを備えるバナー管理システム１であって、前記ウェブページは、特定対象を応援又は愛好するファンにより運営されるファンサイト２であり、前記バナーは、特定対象側が承認したサイトであることを示す承認バナー９であり、該承認バナー９のバナーデータは、閲覧者端末６のウェブブラウザに読み込まれたとき、当該承認バナー９が貼り付けられたファンサイト２の認証ステータスをバナー管理サーバ１０に要求すると共に、バナー管理サーバ１０から受信した認証ステータスが承認済みである場合に、承認バナー９を表示状態とする一方、認証ステータスが未承認である場合に、承認バナー９を非表示状態とするように、閲覧者端末６のウェブブラウザを動作させ、前記バナー管理サーバ１０は、特定対象側が承認サイトとして承認しているか否かという認証ステータスを、ファンサイト２の固有ＩＤに関連付けて蓄積するデータベースＤＢを備えると共に、ファンサイト２を閲覧した閲覧者端末６からの認証ステータス要求に応じて、当該ファンサイト２の認証ステータスをデータベースＤＢから取得して閲覧者端末６に送信するように構成されているので、特定対象側が承認したファンサイト２にのみ承認バナー９を表示させることが可能になる。これにより、承認バナー９の存在によって優良ファンサイト２を容易に識別できるだけでなく、優良ファンサイト２の運営者に特別感を与えることができる。しかも、ファンサイト２における承認バナー９の表示／非表示は、バナー管理サーバ１０のデータベースＤＢで管理される認証ステータスの変更に基づいて切換えることができるので、ファンサイト２の認証ステータスを適正に管理することにより、承認サイトのクオリティを保つことができる。
【００４０】
また、ファンサイト２の運営者が使用する運営者端末７と、承認バナー９や公式サイト４とリンクされ、バナー管理サーバ１０から運営者端末７に提供される承認申請ページ１３とを備え、承認申請ページデータは、ファンサイト２のＵＲＬを含む承認申請情報の入力を求めると共に、入力された承認申請情報をバナー管理サーバ１０に送信するように、運営者端末７のウェブブラウザを動作させ、バナー管理サーバ１０は、運営者端末７から受信した承認申請情報をデータベースＤＢに蓄積するので、承認バナー９や公式サイト４を通じて承認申請を広く受け付け、バナー管理サーバ１０のデータベースＤＢに蓄積することができる。
【００４１】
また、特定対象側の管理者が使用する管理者端末８と、バナー管理サーバ１０から管理者端末８に提供されるファンサイト管理ページ２０とを備え、ファンサイト管理ページデータは、新たに申請されたファンサイトの承認申請情報をバナー管理サーバ１０に要求すると共に、バナー管理サーバ１０から受信した承認申請情報を表示し、ここで、承認申請されたファンサイト２を承認サイトとして承認するか否かという認証ステータスの設定操作を求めると共に、設定された認証ステータスをバナー管理サーバ１０に送信するように、管理者端末８のウェブブラウザを動作させ、バナー管理サーバ１０は、管理者端末８からの承認申請情報要求に応じて、新たな承認申請情報をデータベースＤＢから取得し、取得した承認申請情報を管理者端末８に送信すると共に、管理者端末８から受信した認証ステータスをデータベースＤＢに反映させるので、特定対象側の管理者は、バナー管理サーバ１０が提供するファンサイト管理ページ２０において、新たに申請されたファンサイト２の承認申請情報を閲覧できるだけでなく、承認申請されたファンサイト２を承認サイトとして承認するか否かという認証ステータスの設定を行うことができる。
【００４２】
また、ファンサイト管理ページデータは、承認されているファンサイト２の情報をバナー管理サーバ１０に要求すると共に、バナー管理サーバ１０から受信した承認サイト情報を表示し、ここで、承認サイトの承認を取り消すか否かという認証ステータスの変更操作を求めると共に、変更された認証ステータスをバナー管理サーバ１０に送信するように、管理者端末８のウェブブラウザを動作させ、バナー管理サーバ１０は、管理者端末８からの承認サイト情報要求に応じて、承認サイト情報をデータベースＤＢから取得し、取得した承認サイト情報を管理者端末８に送信すると共に、管理者端末８から受信した認証ステータスをデータベースＤＢに反映させるので、特定対象側の管理者は、バナー管理サーバ１０が提供するファンサイト管理ページ２０において、承認されているファンサイト２の情報を閲覧できるだけでなく、承認サイトの承認を取り消すか否かという認証ステータスの変更を行うことができる。
【００４３】
また、承認バナー９のバナーデータは、承認バナー９内の所定領域がクリックされたとき、同じ承認バナー９が貼り付けられたファンサイト２の一覧データをバナー管理サーバ１０に要求すると共に、バナー管理サーバ１０から受信したサイト一覧データを承認バナー表示領域内に表示するように、閲覧者端末６のウェブブラウザを動作させ、バナー管理サーバ１０は、ファンサイト２を閲覧した閲覧者端末６からのサイト一覧要求に応じて、同じ承認バナー９が貼り付けられたファンサイト２の一覧データをデータベースＤＢから取得し、取得したサイト一覧データを閲覧者端末６に送信するように構成されているので、優良ファンサイト２同士を相互にリンクさせ、優良ファンサイト２へのアクセス数を向上させることができる。しかも、一覧データは、承認バナー表示領域内に表示されるので、他のサイトにジャンプして表示する場合に比べ、ファンサイト２の滞在時間を伸ばすことができる。
【００４４】
また、承認バナー９のバナーデータは、承認バナー９内の所定領域がクリックされたとき、特定対象に関連するニュースデータをバナー管理サーバ１０に要求すると共に、バナー管理サーバ１０から受信したニュースデータを承認バナー表示領域内に表示するように、閲覧者端末６のウェブブラウザを動作させ、バナー管理サーバ１０は、特定対象側から提供される特定対象に関連するニュースデータをデータベースＤＢに蓄積すると共に、ファンサイト２を閲覧した閲覧者端末６からのニュースデータ要求に応じて、特定対象に関連するニュースデータをデータベースＤＢから取得し、取得したニュースデータを閲覧者端末６に送信するので、ファンサイト２の運営者や閲覧者に対して効果的な告知を行うことができる。しかも、ニュースデータは、承認バナー表示領域内に表示されるので、他のサイトにジャンプして表示する場合に比べ、ファンサイト２の滞在時間を伸ばすことができる。
【００４５】
また、特定対象側が運営する公式サイト４又はその他のサイトから閲覧者端末６に提供される認証コード検証ページ４９を備え、承認バナー９のバナーデータは、承認バナー９内の所定領域がクリックされたとき、承認バナー９の信頼性を示す認証コードをバナー管理サーバ１０に要求する認証コード要求手段３７と、バナー管理サーバ１０から受信した認証コードを表示する認証コード表示手段３８として閲覧者端末６のウェブブラウザを動作させ、認証コード検証ページ４９のページデータは、当該ページ４９内の所定領域に入力された認証コードの検証をバナー管理サーバ１０に要求する認証コード検証要求手段３９と、バナー管理サーバ１０から受信した検証結果を表示する検証結果表示手段４０として閲覧者端末６のウェブブラウザを動作させ、バナー管理サーバ１０は、ファンサイト２を閲覧した閲覧者端末６からの認証コード要求に応じて、当該ファンサイトの認証ステータスをデータベースＤＢから取得し、当該ファンサイトが承認済みである場合に、一意の認証コードを生成して閲覧者端末６に送信する認証コード応答手段４１と、閲覧者端末６からの認証コード検証要求に応じて、当該認証コード検証要求に含まれる認証コードの信頼性を検証し、その検証結果を閲覧者端末６に送信する検証結果応答手段４２とを備えるので、認証コードの取得ステップと、取得した認証コードの検証ステップとからなる２段階のステップにより、承認バナー９の信頼性を高精度にチェックすることができる。
【００４６】
［第二実施形態］
次に、本発明の第二実施形態に係るバナー管理システムについて、図１８及び図１９を参照して説明する。ただし、第一実施形態と共通の構成については、第一実施形態と同じ符号を用いることにより、第一実施形態の説明を援用する。
【００４７】
図１８及び図１９に示すように、本発明の第二実施形態に係るバナー管理システム１は、バナー管理サーバ１０が、閲覧者端末６からの認証ステータス要求に含まれる固有識別情報がデータベースＤＢに蓄積されていない場合に、当該固有識別情報を承認申請情報としてデータベースＤＢに蓄積する承認申請情報蓄積手段４３を備える点が前記実施形態と相違している。
【００４８】
このようにすると、特定対象側に承認申請をしたいファンサイト２の運営者は、バナー管理サーバ１０などから承認バナー９のバナーデータ（タグ）を取得し、自ら運営しているファンサイト２に貼り付けることにより、自動的に承認申請を行うことが可能になる。つまり、承認バナー９のバナーデータを取得してファンサイト２に貼り付けた段階では、このファンサイト２の固有識別情報がデータベースＤＢに蓄積されていないので、このファンサイト２を閲覧した閲覧者端末６がバナー管理サーバ１０に認証ステータス要求を送信すると、当該認証ステータス要求に含まれる固有識別情報が承認申請情報としてデータベースＤＢに蓄積され、自動的に承認申請が完了することになる。
【００４９】
［第三実施形態］
次に、本発明の第三実施形態に係るバナー管理システムについて、図２０及び図２１を参照して説明する。ただし、第一実施形態と共通の構成については、第一実施形態と同じ符号を用いることにより、第一実施形態の説明を援用する。
【００５０】
図２０及び図２１に示すように、本発明の第三実施形態に係るバナー管理システム１は、バナー管理サーバ１０から運営者端末７に提供されるバナーデータ要求ページ４４を備え、バナーデータ要求ページデータは、ファンサイト２のＵＲＬの入力を求めるＵＲＬ入力要求手段４５と、入力されたＵＲＬ及びバナーデータ要求をバナー管理サーバ１０に送信するバナーデータ要求送信手段４６と、バナー管理サーバ１０から承認バナー９のバナーデータを受信するバナーデータ受信手段４７として運営者端末７のウェブブラウザを動作させるように構成される一方、バナー管理サーバ１０は、運営者端末７からのバナーデータ要求に応じて、承認バナー９のバナーデータを運営者端末７に送信するバナーデータ送信手段４８と、閲覧者端末６からの認証ステータス要求に含まれる固有識別情報がデータベースＤＢに蓄積されていない場合に、当該固有識別情報を承認申請情報としてデータベースＤＢに蓄積する承認申請情報蓄積手段４３を備える点が前記実施形態と相違している。
【００５１】
このようにすると、第二実施形態と同様、特定対象側に承認申請をしたいファンサイト２の運営者は、バナー管理サーバ１０などから承認バナー９のバナーデータ（タグ）を取得し、自ら運営しているファンサイト２に貼り付けることにより、自動的に承認申請を行うことが可能になるが、バナーデータの取得に際して、バナー管理サーバ１０にＵＲＬを登録する必要があるので、承認バナー９のバナーデータが無秩序に貼り付けられることを防止できる。また、バナーデータ取得時に登録されたＵＲＬと、自動承認申請時に取得したＵＲＬとの照合を行い、両者が一致する場合にのみ、承認申請を受け付けるようにすることができる。
【符号の説明】
【００５２】
１    バナー管理システム
２    ファンサイト
３    ウェブサーバ
４    公式サイト
５    ウェブサーバ
６    閲覧者端末
７    運営者端末
８    管理者端末
９    承認バナー
１０  バナー管理サーバ
１１  ネットワーク
１２  承認シール
１３  承認申請ページ
１４  認証ステータス要求手段
１５  承認バナー表示切換手段
１６  認証ステータス応答手段
１７  承認申請情報入力要求手段
１８  承認申請情報送信手段
１９  承認申請情報蓄積手段
２０  ファンサイト管理ページ
２１  承認申請情報要求手段
２２  承認申請情報表示手段
２３  認証ステータス設定要求手段
２４  認証ステータス送信手段
２５  承認申請情報応答手段
２６  認証ステータス反映手段
２７  承認サイト情報要求手段
２８  承認サイト情報表示手段
２９  認証ステータス変更要求手段
３０  承認サイト情報応答手段
３１  サイト一覧要求手段
３２  サイト一覧表示手段
３３  サイト一覧応答手段
３４  ニュースデータ要求手段
３５  関連ニュース表示手段
３６  ニュースデータ応答手段
３７  認証コード要求手段
３８  認証コード表示手段
３９  認証コード検証要求手段
４０  検証結果表示手段
４１  認証コード応答手段
４２  検証結果応答手段
４３  承認申請情報蓄積手段
４４  バナーデータ要求ページ
４５  ＵＲＬ入力要求手段
４６  バナーデータ要求送信手段
４７  バナーデータ受信手段
４８  バナーデータ送信手段
４９  認証コード検証ページ
ＤＢ  データベース
【図１】
2010277297.tif 000003
【図２】
2010277297.tif 000004
【図３】
2010277297.tif 000005
【図４】
2010277297.tif 000006
【図５】
2010277297.tif 000007
【図６】
2010277297.tif 000008
【図７】
2010277297.tif 000009
【図８】
2010277297.tif 000010
【図９】
2010277297.tif 000011
【図１０】
2010277297.tif 000012
【図１１】
2010277297.tif 000013
【図１２】
2010277297.tif 000014
【図１３】
2010277297.tif 000015
【図１４】
2010277297.tif 000016
【図１５】
2010277297.tif 000017
【図１６】
2010277297.tif 000018
【図１７】
2010277297.tif 000019
【図１８】
2010277297.tif 000020
【図１９】
2010277297.tif 000021
【図２０】
2010277297.tif 000022
【図２１】
2010277297.tif 000023